(57)【要約】【課題】インターネットを介した動画コンテンツの視聴をテレビチャンネルの視聴に近づけることが可能なテレビ受像機、コンテンツ再生方法及びプログラムを提供すること【解決手段】本発明にかかるテレビ受像機は、１又は予め定められた順に関連付けられた複数の情報ページと、１の情報ページ又は複数の情報ページの最後のページに関連付けられた動画コンテンツの一部又は全部と、をインターネットを介して取得して格納する格納部と、格納された動画コンテンツの一部又は全部に基づいて動画コンテンツのリスト化を行い、生成したリストの少なくとも一部を画面に表示させる制御部と、ユーザの操作により、リスト中から一の動画コンテンツを選択する操作機器と、を備える。制御部は、前記一の動画コンテンツが選択された場合に、一の動画コンテンツに関連付けられた情報ページを表示させることなく、一の動画コンテンツの一部又は全部の再生を開始させる。【選択図】図１Ａ
2015115708.tif 000002
【特許請求の範囲】
【請求項１】
１又は予め定められた順に関連付けられた複数の情報ページと、前記１の情報ページ又は前記複数の情報ページの最後のページに関連付けられた動画コンテンツと、を配信する動画配信システムから、前記１の情報ページ又は前記複数の情報ページと、前記動画コンテンツの一部又は全部と、をインターネットを介して取得して格納する格納部と、
前記格納された動画コンテンツの一部又は全部に基づいて動画コンテンツのリスト化を行い、生成した動画コンテンツのリストの少なくとも一部を画面に表示させる制御部と、
ユーザの操作により、前記画面に表示された前記リスト中から一の動画コンテンツを選択する操作機器と、を備え、
前記制御部は、前記操作機器により前記一の動画コンテンツが選択された場合に、前記一の動画コンテンツに関連付けられた前記情報ページを前記画面に表示させることなく、前記格納部に格納された前記一の動画コンテンツの一部又は全部の再生を開始させる、
テレビ受像機。
【請求項２】
選択された前記一の動画コンテンツを前記制御部が前記画面に再生させているときであって、前記操作機器により前記リスト中の他の動画コンテンツが選択された場合に、
前記制御部は、前記一の動画コンテンツの前記画面への再生を中止し、前記他の動画コンテンツの前記画面への再生を開始させる、
請求項１に記載のテレビ受像機。
【請求項３】
前記制御部は、前記一の動画コンテンツの前記画面への表示を中止する場合に、当該一の動画コンテンツの再生を中止した時点で一時停止し、
前記操作機器により前記リスト中の前記一の動画コンテンツが再度選択された場合に、当該一の動画コンテンツの再生を一時停止した時点から開始させる、
請求項２に記載のテレビ受像機。
【請求項４】
選択された前記一の動画コンテンツを前記制御部が前記画面に再生させているときに、前記制御部は、前記リストの少なくとも一部を前記画面に表示させる、
請求項１ないし３のいずれか一項に記載のテレビ受像機。
【請求項５】
前記制御部は、前記画面に前記リストの更新ボタンを表示させ、前記操作機器によりユーザが当該更新ボタンを選択した場合に、前記格納部は、前記リスト中の前記動画コンテンツの一部又は全部をインターネットにアクセスして再度取得し、前記リスト中の動画コンテンツのうちデータが取得できないものがあれば、当該動画コンテンツの表示を除いて前記画面に前記リストを表示させる、
請求項４に記載のテレビ受像機。
【請求項６】
前記制御部は、前記格納部が取得した前記動画コンテンツと、テレビ放送の放送コンテンツとを含めたコンテンツのリストを生成し、少なくとも当該リストの一部を前記テレビ受像機の画面に表示させ、
前記操作機器はユーザの操作により、前記画面に表示された前記リスト中の一の放送コンテンツを選択し、
前記操作機器により前記一の放送コンテンツが選択された場合、前記制御部は、選択された当該一の放送コンテンツを前記画面に表示させる、
請求項１ないし５のいずれか一項に記載のテレビ受像機。
【請求項７】
前記格納部は、複数の動画配信システムから前記１又は複数の情報ページ及び前記動画コンテンツを取得して格納することが可能であり、
前記制御部は、前記格納された動画コンテンツの一部又は全部に基づいて、前記動画配信システム毎に動画コンテンツを区分してリスト化を行い、生成した動画コンテンツのリストの少なくとも一部を画面に表示させる、
請求項１ないし６のいずれか一項に記載のテレビ受像機。
【請求項８】
前記動画コンテンツは、前記動画配信システムが配信する本編の動画コンテンツの予告編であり、
前記格納部は、前記動画コンテンツの全部をインターネットを介して取得して格納し、
前記制御部は、前記操作機器により前記一の動画コンテンツが選択された場合に、前記一の動画コンテンツに関連付けられた前記情報ページを表示することなく、前記一の動画コンテンツの全部を再生させる、
請求項１ないし７のいずれか一項に記載のテレビ受像機。
【請求項９】
前記動画配信システムは、前記本編の動画コンテンツを配信し、
前記制御部は、前記一の動画コンテンツを前記画面に再生終了後、当該一の動画コンテンツの本編である前記本編の動画コンテンツを再生させるか否かをユーザに選択させる表示を前記画面に表示させて、
前記操作機器により前記本編の動画コンテンツを再生させる旨が選択された場合に、前記格納部は当該本編の動画コンテンツを取得して格納し、前記制御部は前記格納部に格納された当該本編の動画コンテンツの再生を開始させる、
請求項８に記載のテレビ受像機。
【請求項１０】
前記動画配信システムは、ユーザのアカウント情報が送信された場合に前記本編の動画コンテンツを配信し、
前記テレビ受像機は、
前記動画配信システムに関するユーザの前記アカウント情報を格納するテーブルと、
前記テーブルに格納された前記アカウント情報を前記動画配信システムに送信する送信部と、をさらに備え、
前記送信部は、前記一の動画コンテンツを前記画面に再生開始後、前記テーブルに格納された前記アカウント情報を前記動画配信システムに送信して、前記格納部は、前記動画配信システムから配信される前記本編の動画コンテンツを取得して格納する、
請求項８又は９に記載のテレビ受像機。
【請求項１１】
前記制御部は、前記一の動画コンテンツを前記画面に再生開始後、前記テーブルを参照して、前記動画配信システムに関する前記アカウント情報が前記テーブルに格納されていないと認識した場合に、前記画面に前記動画配信システムに関する前記アカウント情報を取得するか否かをユーザに選択させる表示を行い、
ユーザの前記操作機器の操作により前記アカウント情報を取得する旨が選択され、前記アカウント情報が入力された場合に、入力された当該アカウント情報を前記テーブルに格納させる、
請求項１０に記載のテレビ受像機。
【請求項１２】
前記テーブルは、前記動画配信システムが前記本編の動画コンテンツ毎にユーザからの購入を受け付けるシステムであるかを示す情報をさらに格納し、
前記制御部は、前記テーブルを参照して前記動画配信システムに関する前記アカウント情報が前記テーブルに格納されていると認識し、かつ当該動画配信システムが前記本編の動画コンテンツ毎にユーザからの購入を受け付けるシステムであると認識した場合に、前記一の動画コンテンツを前記画面に再生終了後、前記画面に前記一の動画コンテンツの本編である前記本編の動画コンテンツを購入してよいか否かをユーザに選択させる表示をし、
ユーザの前記操作機器の操作により前記本編の動画コンテンツを購入する旨が選択された場合に、前記格納部は、前記動画配信システムから配信される前記本編の動画コンテンツを取得して格納する、
請求項１１に記載のテレビ受像機。
【請求項１３】
インターネットにアクセスして動画コンテンツを再生するテレビ受像機のコンテンツ再生方法であって、
１又は予め定められた順に関連付けられた複数の情報ページと、前記１の情報ページ又は前記複数の情報ページの最後のページに関連付けられた動画コンテンツと、を配信するシステムから、前記１の情報ページ又は前記複数の情報ページと、前記動画コンテンツの一部又は全部と、をインターネットを介して取得して格納するステップと、
前記格納された動画コンテンツの一部又は全部に基づいて動画コンテンツのリスト化を行い、生成した動画コンテンツのリストの少なくとも一部を画面に表示させるステップと、
ユーザの操作により、前記画面に表示された前記リスト中から一の動画コンテンツを選択するステップと、
選択された前記一の動画コンテンツに関連付けられた前記情報ページを前記画面に表示させることなく、格納された前記一の動画コンテンツの一部又は全部の再生を開始させるステップと、を備える
コンテンツ再生方法。
【請求項１４】
インターネットにアクセスして動画コンテンツを再生するテレビ受像機のプログラムであって、
１又は予め定められた順に関連付けられた複数の情報ページと、前記１の情報ページ又は前記複数の情報ページの最後のページに関連付けられた動画コンテンツと、を配信するシステムから、前記１の情報ページ又は前記複数の情報ページと、前記動画コンテンツの一部又は全部と、をインターネットを介して取得して格納するステップと、
前記格納された動画コンテンツの一部又は全部に基づいて動画コンテンツのリスト化を行い、生成した動画コンテンツのリストの少なくとも一部を画面に表示させるステップと、
ユーザの操作により、前記画面に表示された前記リスト中から一の動画コンテンツを選択するステップと、
選択された前記一の動画コンテンツに関連付けられた前記情報ページを前記画面に表示させることなく、格納された前記一の動画コンテンツの一部又は全部の再生を開始させるステップと、
をテレビ受像機に実行させるプログラム。
【発明の詳細な説明】
【技術分野】
【０００１】
本発明はテレビ受像機、コンテンツ再生方法及びプログラムに関する。
【背景技術】
【０００２】
現在、インターネットに繋がりスマートフォンと同様に様々な機能をアプリという形で提供しているテレビ受像機（一般的にスマートテレビと呼ばれる。以降、単にテレビと記載する）が普及し始めている。
【０００３】
特許文献１は、そのようなテレビの一例である。特許文献１では、専用キーを設けることなく、所望のアプリケーションを選択可能なテレビが開示されている。このテレビは、操作機器のチャンネルに通常の放送の受信チャンネル又はネットアプリケーションを割り当てておき、ネットアプリケーションが割り当てられたチャンネルが選択されると、そのチャンネルに対応したネットアプリケーションが立ちあがり、そのネットアプリケーションによって提供可能なコンテンツの一覧を表示する。
【０００４】
その他、関連するテレビの例として、特許文献２及び３が挙げられる。特許文献２及び３では、テレビジョン放送チャンネル及びネットのコンテンツの両方に対してチャンネル番号を設定し、チャンネルの選択によりネットのコンテンツを視聴可能にするテレビが開示されている。
【先行技術文献】
【特許文献】
【０００５】
【特許文献１】特開２０１３−１３２０１０号公報
【特許文献２】特開２０１１−１３５１５９号公報
【特許文献３】特開２００４−４８７９４号公報
【発明の概要】
【発明が解決しようとする課題】
【０００６】
近年では、インターネットを介した動画配信のサービスが各種展開されている。サービスは、例えば放送コンテンツ提供サービス、ＶＯＤ（Video On Demand）のサービス、ＳＮＳ（Social Networking Service）である。
【０００７】
図１１Ａは、テレビが放送コンテンツ提供サービスにアクセスして、裏番組の放送コンテンツの一覧を取得し、画面に表示した場合のテレビ画面の一例である。図１１Ｂは、テレビがＶＯＤのサービスにアクセスして、サービスが配信している映画コンテンツの一覧を取得し、画面に表示した場合のテレビ画面の一例である。図１１Ｃは、テレビがＳＮＳにアクセスして、友人のおすすめ動画や注目度が高い動画の一覧を取得し、表示した場合のテレビ画面の一例である。
【０００８】
また、テレビにユーザが音声指示を出力することにより、サービスにアクセスして動画コンテンツの一覧を取得することも可能である。図１１Ｄは、テレビに音声指示を出力した場合にテレビが表示する動画コンテンツの一覧を示した場合のテレビ画面の一例である。
【０００９】
テレビが動画配信サービスにアクセスした場合において、ユーザが動画コンテンツ（例えば、映画やドラマの本編のコンテンツのトレーラー）を視聴する際に、手間がかかってしまうという問題があった。図１２Ａ〜図１２Ｃは、そのようなテレビの処理の例を示した図である。図１２Ａにおいて、テレビは通常の放送コンテンツを画面に表示し、ユーザはその放送コンテンツを視聴している。
【００１０】
図１２Ａに示した状態から、ユーザがインターネットを介した動画コンテンツを視聴したい場合には、操作機器を操作して、ネット接続ポータル画面を表示させる（開く）必要がある。図１２Ｂは、その操作が実行され、テレビはネット接続ポータル画面を表示している状態を示している。なお、この状態からユーザが操作機器でネット接続ポータル画面を閉じる操作をした場合に、テレビ画面は図１２Ａに示した状態に戻る。
【００１１】
図１２Ｂに示した状態から、ユーザがアプリケーション（以下アプリと省略して記載）を起動した場合には、テレビはインターネットに接続され、アプリが画面に表示される。図１２Ｃは、その操作が実行され、テレビはアプリケーションを表示している状態を示している。この状態から、ユーザは所望の動画コンテンツを選択する必要がある。なお、この状態からユーザが操作機器でアプリを終了する操作をした場合に、テレビ画面は図１２Ｂに示した状態に戻る。このように、ユーザが動画コンテンツの再生を行いたい場合でも、操作を何回か行った後でないと再生ができず、テレビチャンネルと同様の視聴ができないという問題があった。
【００１２】
さらに、例えばテレビ画面が図１１Ｂに示した一覧表示を表示している場合において、ユーザが動画コンテンツの再生を行いたい場合には、ＧＵＩ（Graphical User Interface）の操作を何回か行った後でないと再生ができないという問題があった。つまり、これもテレビチャンネルと同様の視聴ができないという問題が存在する。
【００１３】
特許文献１に開示されたテレビは、コンテンツの一覧を専用キーを用いずに表示することが可能なものであり、コンテンツの再生に関する上述の課題を解決することはできない。特許文献２〜３に記載のテレビは、一般のウェブサイトにチャンネルを割り当てることが可能なものであり、テレビチャンネルの視聴と同様な動画コンテンツの視聴を可能とするものではない。
【００１４】
本発明は、このような問題点を解決するためになされたものであり、インターネットを介した動画コンテンツの視聴をテレビチャンネルの視聴に近づけることが可能なテレビ受像機、コンテンツ表示方法及びプログラムを提供することを目的とする。
【課題を解決するための手段】
【００１５】
本発明の第１の態様は、テレビ受像機を含む。このテレビ受像機は、１又は予め定められた順に関連付けられた複数の情報ページと、前記１の情報ページ又は前記複数の情報ページの最後のページに関連付けられた動画コンテンツと、を配信する動画配信システムから、前記１の情報ページ又は前記複数の情報ページと、前記動画コンテンツの一部又は全部と、をインターネットを介して取得して格納する格納部と、前記格納された動画コンテンツの一部又は全部に基づいて動画コンテンツのリスト化を行い、生成した動画コンテンツのリストの少なくとも一部を画面に表示させる制御部と、ユーザの操作により、前記画面に表示された前記リスト中から一の動画コンテンツを選択する操作機器と、を備える。前記制御部は、前記操作機器により前記一の動画コンテンツが選択された場合に、前記一の動画コンテンツに関連付けられた前記情報ページを表示することなく、前記格納部に格納された前記一の動画コンテンツの一部又は全部の再生を開始させる。
【００１６】
本発明の第２の態様は、インターネットにアクセスして動画コンテンツを再生するテレビ受像機のコンテンツ再生方法である。このコンテンツ再生方法は、１又は予め定められた順に関連付けられた複数の情報ページと、前記１の情報ページ又は前記複数の情報ページの最後のページに関連付けられた動画コンテンツと、を配信するシステムから、前記１の情報ページ又は前記複数の情報ページと、前記動画コンテンツの一部又は全部と、をインターネットを介して取得して格納するステップと、前記格納された動画コンテンツの一部又は全部に基づいて動画コンテンツのリスト化を行い、生成した動画コンテンツのリストの少なくとも一部を画面に表示させるステップと、ユーザの操作により、前記画面に表示された前記リスト中から一の動画コンテンツを選択するステップと、選択された前記一の動画コンテンツに関連付けられた前記情報ページを表示することなく、格納された前記一の動画コンテンツの一部又は全部の再生を開始させるステップと、を備える。
【００１７】
本発明の第３の態様は、インターネットにアクセスして動画コンテンツを再生するテレビ受像機のプログラムである。このプログラムは、１又は予め定められた順に関連付けられた複数の情報ページと、前記１の情報ページ又は前記複数の情報ページの最後のページに関連付けられた動画コンテンツと、を配信するシステムから、前記１の情報ページ又は前記複数の情報ページと、前記動画コンテンツの一部又は全部と、をインターネットを介して取得して格納するステップと、前記格納された動画コンテンツの一部又は全部に基づいて動画コンテンツのリスト化を行い、生成した動画コンテンツのリストの少なくとも一部を画面に表示させるステップと、ユーザの操作により、前記画面に表示された前記リスト中から一の動画コンテンツを選択するステップと、選択された前記一の動画コンテンツに関連付けられた前記情報ページを表示することなく、格納された前記一の動画コンテンツの一部又は全部の再生を開始させるステップと、をテレビ受像機に実行させる。
【発明の効果】
【００１８】
本発明により、インターネットを介した動画コンテンツの視聴をテレビチャンネルの視聴に近づけることが可能なテレビ受像機、コンテンツ表示方法及びプログラムを提供することができる。
【図面の簡単な説明】
【００１９】
【図１Ａ】実施の形態１にかかるテレビの構成図の一例である。
【図１Ｂ】実施の形態１にかかるテレビの構成図のその他の例である。
【図２】実施の形態２にかかるテレビの特徴的なハードウェア及びソフトウェアを示したイメージ図の一例である。
【図３】実施の形態２にかかるリモコンの一例を示した図である。
【図４Ａ】実施の形態２にかかるリモコンの中央部に備えられたタッチパネルの拡大図である。
【図４Ｂ】実施の形態２にかかる他の操作部材の一例であるプッシュボタン付き十字キーを示した拡大図である。
【図４Ｃ】実施の形態２にかかる他の操作部材の一例であるジョグダイアル付き十字キーを示した拡大図である。
【図５Ａ】実施の形態２にかかる動画プレーヤーの複数のインスタンスを示したイメージ図である。
【図５Ｂ】実施の形態２にかかる操作Ａがなされた後のムービープレーヤーの複数のインスタンスを示したイメージ図である。
【図５Ｃ】実施の形態２にかかる操作Ｃがなされた後のムービープレーヤーの複数のインスタンスを示したイメージ図である。
【図６】実施の形態２にかかるテレビが表示する、ｎｉｃｋｅｌｂａｃｋｔｖをザッピング登録するか否かを問うメッセージの一例である。
【図７】実施の形態２にかかるテレビが表示する、操作Ｅ又は操作Ｆの対象となるサービスの順番や対象を編集するメニューの一例である。
【図８Ａ】実施の形態２にかかるテレビが放送コンテンツを表示する場合の処理の一例を示したフローチャートである。
【図８Ｂ】実施の形態２にかかるテレビが動画コンテンツを表示する場合の処理の一例を示したフローチャートである。
【図９Ａ】実施の形態３にかかる動画プレーヤーの複数のインスタンスを示した第１のイメージ図である。
【図９Ｂ】実施の形態３にかかる動画プレーヤーの複数のインスタンスを示した第２のイメージ図である。
【図１０】実施の形態３にかかるテレビの画面表示の一例を示した図である。
【図１１Ａ】関連技術において裏番組の放送コンテンツの一覧を表示した場合のテレビ画面の一例を示した図である。
【図１１Ｂ】関連技術において映画コンテンツの一覧を表示した場合のテレビ画面の一例を示した図である。
【図１１Ｃ】関連技術においてＳＮＳにおける友人のおすすめ動画や注目度が高い動画の一覧を表示した場合のテレビ画面の一例を示した図である。
【図１１Ｄ】関連技術において音声指示を出力した場合に表示する動画コンテンツの一覧を示した場合のテレビ画面の一例である。
【図１２Ａ】関連技術において通常の放送コンテンツを表示しているテレビ画面の一例を示した図である。
【図１２Ｂ】関連技術においてネット接続ポータル画面を表示しているテレビ画面の一例を示した図である。
【図１２Ｃ】関連技術においてアプリケーションを表示しているテレビ画面の一例を示した図である。
【発明を実施するための形態】
【００２０】
以下、本発明の実施の形態について説明する。なお、本発明にかかるテレビの説明においては、特徴となる構成要素について重点的に説明し、その他の周知の構成要素については適宜説明を省略している。
【００２１】
実施の形態１
図面を参照して本発明の実施の形態１について説明する。図１Ａは、実施の形態１にかかるテレビの構成図の一例である。図１Ａに示すテレビ１０は、その構成上、筐体１１と操作機器１２とに分けられる。筐体１１は、格納部１３と、制御部１４と、画面１５を備える。テレビ１０は、図示されていないが、インターネットを介して動画配信システムと接続されている。この動画配信システムは、クライアント（即ちテレビ）からの要求に応じて、動画コンテンツを配信する。
【００２２】
筐体１１は、操作機器１２の操作に応じて動画コンテンツの表示処理を実行し、画面１５上に動画コンテンツを再生してユーザ（テレビ製品所有者）にコンテンツを見せる。操作機器１２は、ユーザが情報を入力するテレビのインプットデバイス（いわゆるリモコン）である。操作機器１２は、情報入力のために、キーボタンや、タッチパネル、タッチパッド又はホイール等のポインティングデバイスを適宜備える。
【００２３】
格納部１３は、インターネットを介して、情報ページ及び動画コンテンツを配信する動画配信システムから、情報ページ及び動画コンテンツの一部又は全部を取得し、格納する。配信される情報ページ（例えばウェブページ）は、１の情報ページ又は予め定められた順に関連付けられている複数の情報ページである。格納部１３は、テレビ１０のインターネット接続のインタフェースや、テレビ１０の記憶装置により構成されている。「動画コンテンツの一部」とは、例えば動画コンテンツの最初から所定の時間までの動画データ等をいう。また、「動画コンテンツの一部又は全部」には、その動画コンテンツのタイトル画面や任意の時刻の静止画面等、動画コンテンツの内容表示に必要な画面データが含まれてもよい。
【００２４】
「定められた順に関連付けられた複数の情報ページ」とは、最初の情報ページに次の情報ページがリンクされ、次の情報ページにさらに次の情報ページがリンクされ、・・・となって階層的に関連付けられている複数の情報ページをいう。これにより、テレビ１０のアプリ（例えばウェブブラウザ）で最初の情報ページが開かれた状態で、ユーザがこの情報ページ内にある次の情報ページのリンクを選択すると、アプリは次の情報ページを開いた状態に移行する。
【００２５】
動画コンテンツは、１つの情報ページか、定められた順に関連付けられた複数の情報ページにおける最後の情報ページに関連付けられた動画コンテンツである。ここで「最後の情報ページ」とは、関連付けられた情報ページを開く動作を行った際に、最後に開かれる（階層が最も下である）情報ページをいう。
【００２６】
即ち、テレビのアプリで１つの情報ページが開かれた状態で、ユーザがこの情報ページ内にある動画コンテンツへのリンクを選択すると、テレビの動画プレーヤープログラムが起動し、動画コンテンツが再生される状態になる。あるいは、テレビのアプリで、複数の情報ページのうち最後の情報ページが開かれた状態で、ユーザがこの情報ページ内にある動画コンテンツへのリンクを選択すると、テレビの動画プレーヤープログラムが起動し、動画コンテンツが再生される状態になる。このように、動画コンテンツは、通常、ユーザが情報ページを操作することによって視聴可能な状態になる。
【００２７】
制御部１４は、例えばｈｔｍｌ（HyperText Markup Language）のアドレスのリンク付けの関係（例えばリンクのタグ）を解析することにより、情報ページのリンクを抽出する。その処理により、制御部１４は、リンク付けされた情報ページの最後のページを認識し、そこにリンク付けられた動画コンテンツを取得する。制御部１４は、動画コンテンツを、ファイルの種類により認識することができる。あるいは、制御部１４は、定められた順に関連付けられた複数の情報ページを逐一確認することにより、最後のページに関連付けられた動画コンテンツを取得してもよい。以上のような処理を制御部１４が実行することにより、テレビ１０は動画コンテンツの一部又は全部を取得することができる。
【００２８】
制御部１４は、格納部１３に格納された動画コンテンツの一部又は全部に基づいて動画コンテンツのリスト化を行い、生成した動画コンテンツのリストの少なくとも一部を画面１５に表示させる。制御部１４は、例えば動画コンテンツのタイトル画面や静止画面等、内容表示に必要な画面データをリストとして画面１５に表示させる。これにより、ユーザはリスト化されている動画コンテンツの概要を明確に知ることができる。
【００２９】
画面１５に動画コンテンツのリストが表示された場合、ユーザは操作機器１２の操作により、画面１５に表示されたリスト中から一の動画コンテンツを選択する操作を行う。例えば、ユーザはボタンを押したり、ポインティングデバイスを操作したりすることによって、リスト中の一の動画コンテンツを特定する操作を行う。操作機器１２は、操作に応じた信号を筐体１１の信号受信部（図示せず）に出力し、制御部１４はその信号を信号受信部から取得する。
【００３０】
制御部１４は、操作機器１２により一の動画コンテンツが選択された場合に、一の動画コンテンツに関連付けられた情報ページを画面１５に表示させることなく、格納部１３に格納された一の動画コンテンツの一部又は全部の再生を画面１５上で開始させる。
【００３１】
以上の構成により、実施の形態１にかかるテレビ１０は、ユーザに対し、動画コンテンツに関連した情報ページを見せることなく、動画コンテンツの一部又は全部を再生させることができる。これにより、ユーザは画面１５に表示されたリストの中から動画コンテンツを選択するだけで、動画コンテンツをテレビチャンネルと同様に視聴することができる。つまり、テレビ１０は、インターネットを介した動画コンテンツの視聴を、テレビチャンネルの視聴に近づけることができる。
【００３２】
ここで、選択された動画コンテンツを制御部１４が画面１５に再生させているときであって、操作機器１２によりリスト中の他の動画コンテンツが選択された場合に、制御部１４は、一の動画コンテンツの画面１５への再生を中止し、他の動画コンテンツの画面１５への再生を開始してもよい。このようにすることで、ユーザは、複数の動画コンテンツの視聴を簡単に切り替えること（いわゆるザッピング）が簡単にできる。したがって、テレビ１０は、インターネットを介した動画コンテンツの視聴を、テレビチャンネルの視聴にさらに近づけることができる。
【００３３】
また、テレビ１０は、アカウント情報を管理し、そのアカウント情報に基づいてコンテンツを取得することも可能である。図１Ｂは、そのようなテレビ１００の構成図の一例である。図１Ｂにかかるテレビ１００は、図１Ａにかかるテレビ１０と比較して、テーブル１０６、送信部１０７をさらに備える。なお筐体１０１、操作機器１０２、格納部１０３、制御部１０４、画面１０５は、図１のテレビ１０の筐体１１、操作機器１２、格納部１３、制御部１４、画面１５と同様であるため、説明を省略する。
【００３４】
テーブル１０６は、動画配信システムに関するユーザのアカウント情報を格納する。動画配信システムは、上述の動画コンテンツとして、本編の動画コンテンツ（例えば映画、ドラマ）の概要を短時間で表したトレーラー（予告篇）を配信する。ここで、トレーラーは例えば１分〜数分程度の長さである。テーブル１０６に格納されたアカウント情報を動画配信システムに出力することにより、動画配信システムは、本編の動画コンテンツをテレビ１００に対して配信する。
【００３５】
送信部１０７は、一の動画コンテンツを画面１０５に再生開始後、テーブル１０６に格納されたアカウント情報を動画配信システムに送信する。これにより、格納部１０３は、動画配信システムから、本編の動画コンテンツを取得して格納する。なお、格納部１０３に格納された本編の動画コンテンツは、一の動画コンテンツが画面１０５において再生終了後、制御部１０４により、画面１０５において再生が開始されてもよい。送信部１０７は、例えばテレビ１０のインターネット接続のインタフェースにより構成される。
【００３６】
以上のようにすることで、テレビ１００は、アカウント情報に基づいて、予告編ではなく本編の動画コンテンツを取得することができる。従って、ユーザ自身がアカウント情報を動画配信システムに送信しなくても、本編の動画コンテンツを視聴することができる。そのため、テレビ１００は、ユーザの本編の動画コンテンツの視聴に必要な手間を省くことができる。
【００３７】
実施の形態２
以下、図面を参照して本発明の実施の形態２について説明する。実施の形態２では、より具体的なテレビの構成及び処理について説明する。
【００３８】
図２は、実施の形態２にかかるテレビにおいて特徴的なハードウェア及びソフトウェアを示したイメージ図の一例である。テレビ２０は、その筐体内に、複数のチューナー／デコーダ２１、複数のムービープレーヤー２２、アカウントマネージャ２３を備えるほか、筐体の外側にリモコン２４を備える。
【００３９】
あるチューナー／デコーダ２１は、放送衛星２１１ａから出力されたＢＳ（Broadcasting Satellite）放送電波及び通信衛星２１１ｂから出力されたＣＳ（Communication Satellite）放送電波を受信し、放送コンテンツをユーザが視聴可能な形式にするための信号変換を行う。また別のチューナー／デコーダ２１は、放送局２１２から出力された地上波デジタル放送（以下、地デジと省略して記載）の電波を受信し、放送コンテンツをユーザが視聴可能な形式にするための信号変換を行う。
【００４０】
さらに別のチューナー／デコーダ２１は、インターネット２１３から放送コンテンツや動画コンテンツを受信し、ユーザが視聴可能な形式にするための信号変換を行う。このチューナー／デコーダ２１は、インターネット２１３を介して、放送コンテンツの提供サービス又は動画配信サービス（例えばストリーミングサービスやＩＰ（Internet Protocol）テレビプロバイダ）から、放送コンテンツ又は動画コンテンツを受信する。これらのサービスは、例えばクラウドサービスである。なお、本実施の形態において動画コンテンツ視聴の対象となる動画配信サービスは、ユーザが予め契約済みのものであってもよいし、契約していないものであってもよい。動画配信サービスが予め契約済みである場合、後述のアカウントマネージャ２３には、ユーザの動画配信サービスへのアカウント情報が格納されている。
【００４１】
ムービープレーヤー２２（動画プレーヤー）は、チューナー／デコーダ２１が受信した放送コンテンツ及び動画コンテンツを表示又は再生するためのプレーヤープログラムである。ムービープレーヤー２２は、ｆｌｖ（Flash Video）、ｍｐ４、ｗｅｂｍなど多様な動画ファイル・コンテナ形式やｈｌｓ（HTTP Live Streaming）などのストリーミング方式、そしてｄｒｍ（Digital Rights Management）に対応している。換言すれば、ムービープレーヤー２２は、現在、一般的に使用されているウェブブラウザの動画プラグインであってもよい。
【００４２】
アカウントマネージャ２３（アカウント管理手段）は、放送コンテンツの提供サービス及び動画配信サービスへのログイン処理や、ユーザのアカウント情報の管理を行う。アカウントマネージャ２３は、例えばユーザのアカウント情報を格納するテーブル（実施の形態１にかかるテーブル１０６に相当）及びテーブル参照手段を備える。
【００４３】
なお、テレビ２０は、以上に示した構成要素の他、ＲＡＭ（Random Access Memory）又はＨＤＤ（Hard Disk Drive）等の放送コンテンツ又は動画コンテンツを格納する記憶手段、ＣＰＵ（Central Processing Unit）等のテレビ２０を制御する制御手段、放送コンテンツ又は動画コンテンツが制御手段によって表示される画面、インターネット２１３を介して情報（例えばアカウント情報）の送受信を行うインタフェースを備える。
【００４４】
以上に説明したテレビ２０の各要素は、ハードウェア的には、メモリやその他のＩＣ（Integrated Circuit）等の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００４５】
図３は、実施の形態２にかかるリモコン２４の一例である。リモコン２４は、ユーザの入力のための操作キー及びタッチパネルを備える。
【００４６】
図４Ａは、リモコン２４の中央部に備えられたタッチパネルの拡大図である。ユーザは、タッチパネルにおいてフリック動作をしたり、図形を描く動作をしたりすることによって、テレビ２０に対して指示を出力する。
【００４７】
なお、リモコン２４にはタッチパネルではなく、他の操作部材を用いることもできる。図４Ｂは、他の操作部材の一例であるプッシュボタン付き十字キーを示した拡大図である。ユーザは、十字キーの上下左右を押下したり、プッシュボタン（中央キー）を押下することにより、テレビ２０に対して指示を出力する。
【００４８】
図４Ｃは、他の操作部材の一例であるジョグダイアル付き十字キーを示した拡大図である。ユーザは、十字キーの上下左右を押下したり、ジョグダイアルを時計回り又は反時計回りに回転することにより、テレビ２０に対して指示を出力する。
【００４９】
本実施の形態では、図４Ａ〜図４Ｃに示された操作部材で、上・下・左・右・前・後の６つのイベントを生成し、テレビ２０の筐体側に送信することができる。図４Ａ〜図４Ｃに示された操作部材とイベントのマッピング例は次の通りである。
【００５０】
図４Ａの操作部材（タッチパネル）では、イベントと対応動作は次の通りである。
・上：上フリック動作
・下：下フリック動作
・左：左フリック動作
・右：右フリック動作
・前：時計回りに円を描く動作
・後：反時計回りに円を描く動作
【００５１】
図４Ｂの操作部材（プッシュボタン付き十字キー）では、イベントと対応動作は次の通りである。
・上：上キー押し動作
・下：下キー押し動作
・左：左キー押し動作
・右：右キー押し動作
・前：中央キー押し動作
・後：中央キーの２回押し動作
【００５２】
図４Ｃの操作部材（ジョグダイアル付き十字キー）では、イベントと対応動作は次の通りである。
・上：上キー押し動作
・下：下キー押し動作
・左：左キー押し動作
・右：右キー押し動作
・前：ジョグダイアル時計回り
・後：ジョグダイアル反時計回り
【００５３】
この６イベントは、次のようなテレビ２０に対する操作を意味する。
・操作Ａ（チャンネル番号Ｕｐ）：「右」のイベントに対応
放送コンテンツリスト内、動画コンテンツリスト内や動画配信サービス内で、次のコンテンツを画面に表示又は再生させる操作である。
・操作Ｂ（チャンネル番号Ｄｏｗｎ）：「左」のイベントに対応
放送コンテンツリスト内、動画コンテンツリスト内や動画配信サービス内で、前のコンテンツを画面に表示又は再生する操作である。即ち操作Ａの逆の操作である。
・操作Ｃ（放送波切り替えＵｐ）：「上」のイベントに対応
地デジ放送→ＢＳ放送→ＣＳ放送→ＩＰ（Internet Protocol）ＴＶ放送の順に放送波を切り替えて画面に表示させる操作である。または、動画配信サービス内では、チャンネル・カテゴリーの切り替えをＵｐさせる操作である。
・操作Ｄ（放送波切り替えＤｏｗｎ）：「下」のイベントに対応
ＩＰＴＶ放送→ＣＳ放送→ＢＳ放送→地デジ放送の順に放送波を切り替えて画面に表示させる操作である。または、動画配信サービス内では、チャンネル・カテゴリーの切り替えをＤｏｗｎさせる操作である。即ち操作Ｃの逆の操作である。
・操作Ｅ（放送サービス・ネットサービス切り替えＵｐ）：「前」のイベントに対応
放送→Ｙｏｕｔｕｂｅ（登録商標）→ｈｕｌｕ（登録商標）→その他の動画配信サービスの順にサービスを切り替えて画面に表示させる操作である。
・操作Ｆ（放送サービス・ネットサービス切り替えＤｏｗｎ）：「後」のイベントに対応
その他の動画配信サービス→ｈｕｌｕ→Ｙｏｕｔｕｂｅ→放送の順にサービスを切り替えて画面に表示させる操作である。即ち操作Ｅの逆の操作である。
【００５４】
放送コンテンツリスト、動画コンテンツリストはユーザのザッピングを行うためのリストであり、テレビ２０の記憶部に格納されている。以上に示したイベントと動作のマッピングはあくまで例示であり、他のマッピング方法や操作方法を適用することも可能である。
【００５５】
なお、図４Ａ〜図４Ｃに示した操作部材は、チャンネル切り替え専用であってもよいし、他の操作に使用可能な操作部材であってもよい。
【００５６】
以下、動画プレーヤーの管理方法について説明する。ここでは、テレビ２０を起動させた後、地上波デジタルのあるチャンネル（即ち放送コンテンツ）がディスプレイ上に表示されたと仮定する。このとき、テレビ２０の制御手段は、ユーザのザッピング要求に対応するために、ムービープレーヤー２２のインスタンスを複数立ち上げ、管理する。この管理方法は、例えばリングバッファや多次元配列である。
【００５７】
図５Ａは、ムービープレーヤー２２の複数のインスタンスを示したイメージ図である。図５Ａの「０」〜「６」はムービープレーヤー２２を表している（以降、それぞれ動画プレーヤー１〜６と表記する）。ムービープレーヤー２２は図５Ａでは６個表示されているが、テレビ２０は６個未満あるいは７個以上のムービープレーヤー２２を備えていてもよい。図５において、「０」が現在画面に表示されている地デジのチャンネルである。地デジの放送コンテンツはリスト（バッファリスト）化されており、「１」は地デジのリストにおいて「０」のチャンネルの左にあるチャンネルである。同様に、「２」は地デジのリストにおいて「０」のチャンネルの右にあるチャンネルである。
【００５８】
さらに、図５Ａにおいては、ＣＳ放送及びＢＳ放送のチャンネル（放送コンテンツ）も、地デジと同様にリスト化されている。「３」はＣＳ放送のチャンネルであり、リストにおいて「０」のチャンネルの上にある。「４」はＢＳ放送のチャンネルであり、リストにおいて「０」のチャンネルの下にある。以上に示した「１」〜「４」のチャンネルは、チューナー／デコーダ２１で視聴できる形式に変換されており、画面には表示されないものの、バックグラウンドのムービープレーヤー２２で垂れ流し状態に（即ち表示したままの状態に）される。これにより、ユーザが「１」〜「４」のチャンネルを選択した場合に、テレビ２０がすぐに画面に表示できる状態にしておく。
【００５９】
さらに、図５Ａにおいては、動画配信サービスの動画コンテンツも、地デジ、ＣＳ／ＢＳ放送のチャンネルと同様にリスト化されている。「５」は動画配信サービスの一例であるＹｏｕｔｕｂｅの動画コンテンツであり、リストにおいて「３」の放送コンテンツの上にある。「６」は動画配信サービスの一例であるｈｕｌｕの動画コンテンツであり、リストにおいて「４」の放送コンテンツの下にある。例えば、動画コンテンツが、動画配信サービスから配信されるトレーラーの全データのダウンロードを行い、チューナー／デコーダ２１で視聴できる形式に変換しておく。動画コンテンツがストリーミングコンテンツである場合には、同様の方式で視聴に必要な最低限のバファリングを終え、キューイングした状態にしておく。これにより、ユーザが「５」又は「６」の動画コンテンツを選択した場合に、すぐに画面に表示できる状態にしておく。
【００６０】
動画プレーヤー１〜６のコンテンツは、以下に示す通り、ユーザの操作により次に選択される可能性があるチャンネルや動画コンテンツである。そのため、テレビ２０は、それらのコンテンツを前もって先読み、キューイング、デコーディング処理等を開始しておき、切り替え要求があった場合でも瞬時に応答できるようにする。テレビ２０は、そのために必要なチューナー／デコーダ２１の数を満たしている。
【００６１】
ここで、ネット動画の再生は各動画配信サービスのアプリを立ち上げることにより実行するのではなく、動画プレーヤーに動画のＵＲＬ（Uniform Resource Locator）を渡すあけで行われる。動画プレーヤーへの動画のＵＲＬは、実施の形態１に記載した通り、例えば情報ページのリンクを解析する方法によって認識される。制御部がその動画のＵＲＬを動画プレーヤーに出力し、動画プレーヤーがその動画を再生することにより、ユーザは動画コンテンツを視聴することができる。テレビ２０によるザッピングを可能にする動画コンテンツリストの取得は、例えば各動画サービスが用意しているＡＰＩ（Application Programming Interface）を使用する。
【００６２】
また、テレビ２０にユーザの趣味趣向に合わせてチャンネル検索を行う趣味趣向エンジンを予め搭載させ、リストへのチャンネル又は動画コンテンツ登録などの作業をそれにより自動的に行わせるようにしてもよい。
【００６３】
図５Ａに示した状態で動画プレーヤーを管理している場合に、リモコン２４でコンテンツ切り替えの操作（イベント）を実行した場合、画面に表示されるコンテンツは「０」から切り替わる。ここで、画面に表示されるコンテンツが切り替わった場合、それに応じて「１」〜「６」に示すコンテンツも切り替わる。図５Ａの状態から、上述の操作Ａ〜Ｆのイベントがリモコン２４を通じてテレビの筐体側に発せられた場合のテレビの動作を以下に記述する。
【００６４】
操作Ａ（チャンネル番号Ｕｐ）のイベントがなされた場合には、動画プレーヤー２がカレント状態（画面に表示されている状態）になる。操作Ａがなされた後、動画プレーヤー１は、動画プレーヤー２が現在表示しているチャンネルよりもリスト中において一つ数字が上のチャンネルの放送コンテンツをバックグラウンドで垂れ流しのまま表示する（動画プレーヤー１が表示する放送コンテンツはチューニング＆デコードがなされている）。図５Ｂは、操作Ａがなされた後のムービープレーヤー２２の複数のインスタンスを示したイメージ図である。図５Ｂのイメージ図では、地デジリストにおける動画プレーヤーの並び順は、左から０→２→１となる。なお、放送コンテンツのリストの左右の位置移動には端（終点）があってもよい。あるいは、リストは、左右のいずれか一方向に移動したままの状態だと元の位置に戻るような循環的なリストであってもよい。
【００６５】
操作Ｂ（チャンネル番号Ｄｏｗｎ）のイベントがなされた場合には、動画プレーヤー１がカレント状態になる。イメージ図では、地デジリストにおける動画プレーヤーの並び順は、左から２→１→０となる。操作Ｂがなされた後、動画プレーヤー２は、動画プレーヤー１が現在表示しているチャンネルよりもリスト中において一つ数字が下のチャンネルの放送コンテンツを垂れ流しで表示する（動画プレーヤー２が表示する放送コンテンツはチューニング＆デコードがなされている）。
【００６６】
操作Ｃ（放送波切り替えＵｐ）のイベントがなされた場合には、動画プレーヤー３がカレント状態になる。「１」に表示されるのはリスト中において動画プレーヤー０が表示するチャンネルの左に位置するチャンネルであり、「２」に表示されるのはリスト中で動画プレーヤー０が表示するチャンネルの右に位置するチャンネルである。「４」の位置には、操作Ｃの前に画面に表示されていたチャンネル（操作Ｃの前に動画プレーヤー０で表示されていた放送コンテンツ）が表示される。「３」の位置には、操作Ｃの前に動画プレーヤー４で表示されていたチャンネルが表示される。図５Ｃは、操作Ｃがなされた後のムービープレーヤー２２の複数のインスタンスを示したイメージ図である。図５Ｃのイメージ図では、動画プレーヤー３が動画プレーヤー０の位置に移動し、動画プレーヤー１及び２の位置に表示されるのはＣＳ放送のチャンネルである。
【００６７】
なお、テレビ２０がＩＰＴＶも視聴可能なようにサポートされていれば、「３」の位置には、ＩＰＴＶの放送コンテンツを表示させてもよい。
【００６８】
操作Ｄ（放送波切り替えＤｏｗｎ）のイベントがなされた場合には、動画プレーヤー４がカレント状態になる。図５Ａのイメージ図では、動画プレーヤー４が動画プレーヤー０の位置に移動し、動画プレーヤー１及び２の位置に表示されるのはＢＳ放送のチャンネルである。「１」に表示されるのはリスト中において動画プレーヤー０が表示するチャンネルの左に位置するチャンネルであり、「２」に表示されるのはリスト中で動画プレーヤー０が表示するチャンネルの右に位置するチャンネルである。「３」の位置には、操作Ｃの前に画面に表示されていたチャンネル（操作Ｃの前に動画プレーヤー０で表示されていた放送コンテンツ）が表示される。「４」の位置には、操作Ｃの前に動画プレーヤー３で表示されていたチャンネルが表示される。
【００６９】
なお、テレビ２０がＩＰＴＶも視聴可能なようにサポートされていれば、操作Ｄ後の「４」の位置には、ＩＰＴＶの放送コンテンツを表示させてもよい。
【００７０】
なお、操作Ａ〜操作Ｄがなされた場合において、動画プレーヤー５及び６が表示するコンテンツに変化はない。
【００７１】
操作Ｅ（放送サービス・ネットサービス切り替えＵｐ）のイベントがなされた場合には、動画プレーヤー５がカレント状態になる。つまり、ＹｏｕＴｕｂｅの動画コンテンツが画面に表示される。ここで、他の動画プレーヤーインスタンスの状態は必要に応じて更新される。
【００７２】
操作Ｆ（放送サービス・ネットサービス切り替えＤｏｗｎ）のイベントがなされた場合には、動画プレーヤー６がカレント状態になる。つまり、Ｈｕｌｕの動画コンテンツが画面に表示される。ここで、他の動画プレーヤーインスタンスの状態は必要に応じて更新される。
【００７３】
ＣＳ放送の単体のＰＰＶ（Pay Per View）映画や有料契約チャンネル、もしくはネット動画サービスの有料コンテンツがユーザの選択（操作Ｅ又は操作Ｆ）により図５で「０」の位置にくる場合、画面で再生される動画コンテンツはトレーラー（予告編）などのサンプルムービークリップである。テレビ２０の制御部は、アカウントマネージャ２３に動画コンテンツの購入履歴があるか否かを参照し、購入履歴があれば、サンプルクリップやプロモーションチャンネルの再生は行わず、動画コンテンツの本編をすぐに画面上に再生させてもよい。本編が未購入の場合には、テレビ２０の制御部は、動画コンテンツの購入を促すメッセージを画面上に表示させる。この詳細については後述する。
【００７４】
操作Ａ〜Ｆが２回以上なされた場合でも、上述と同様にムービープレーヤー２２の複数のインスタンスが管理される。このようにして、ユーザは、簡単な操作で視聴コンテンツの種類を切り替えるザッピングをすることができる。
【００７５】
ここで、最初に画面で動画コンテンツの再生が行われていた場合に、リスト中の他の動画コンテンツが選択された場合（即ち操作Ａ〜操作Ｆのいずれかが行われた場合）、テレビ２０の制御部は、選択された動画コンテンツの画面への再生を開始するともに、最初に再生されていた動画コンテンツの再生を中止する。このとき、最初に再生されていた動画コンテンツは、中止した時点で一時停止されるよう制御される。そして、リモコン２０４の操作により、最初に再生されていた動画コンテンツが再度選択された場合に、テレビ２０の制御部は、その動画コンテンツの再生を一時停止した時点から開始させる。
【００７６】
これにより、ユーザは、動画コンテンツのうち一度見た部分を再度見る必要なくザッピングができる。そのため、ユーザの利便性を向上させることができる。
【００７７】
なお、動画コンテンツの視聴は上述の方法に限られず、テレビ２０に搭載された従来通りのアプリを使用することによっても視聴することができる。また、テレビ２０に搭載されたサーチエンジンを使用してキーワード検索で観たい動画に行き着くための経路は、これまで通り確保する。
【００７８】
サーチエンジンにより検索結果を元にユーザが視聴した動画のチャンネル（例えばＹｏｕＴｕｂｅの場合では投稿者単位のチャンネル）がザッピング対象のリストに登録されていない場合、テレビ２０は、動画視聴終了後又はユーザの操作により再生が途中停止された時に、画面にメッセージを表示する。なおテレビ２０は、記憶部に格納されたリストを参照し、視聴された動画がコンテンツ動画リスト内にない場合に、画面にメッセージを表示する。
【００７９】
図６は、テレビ２０が表示する、ｎｉｃｋｅｌｂａｃｋｔｖをザッピング登録するか否かを問うメッセージの一例である。ユーザがリモコン２４で「ＯＫ」を選択した場合、ｎｉｃｋｅｌｂａｃｋｔｖがザッピング対象としてリストに登録される。
【００８０】
さらに、操作ＥとＦの対象となるストリーム、動画配信サービス、そして選択される順番は、テレビ２０が表示する画面メニューで編集することができる。ユーザは操作機器を使用してテレビ２０に対し編集内容を入力する。
【００８１】
図７は、上述の操作Ｅ又はＦの対象となるサービスの順番や対象を編集するメニューの一例である。このメニューには、アプリがインストール済みであるか、契約済みのサービス及びサービスのサブアイテムが表示される。サービス又はサブアイテムの横のチェックボックスにチェックを入れてある項目は、リスト登録の対象となっており、上述のユーザのザッピングが可能となる。ザッピングの対象とせず、従来通りの使い方又は動画コンテンツの探し方をしたいサービスは、メニューにあるチェックボックスのチェックを外すことでそれが可能となる。チェックボックスのチェックは、例えばユーザがリモコン２４の操作部材で右クリック動作（又はそれに対応する動作）を行うことにより、することができる。
【００８２】
次に、ユーザが特定のコンテンツを視聴する場合のテレビ２０の具体的な処理について説明する。図８Ａ及び図８Ｂは、テレビ２０の具体的な処理を示したフローチャートの一例である。図８Ａは、特にテレビ２０が放送コンテンツを表示する場合の処理を示したものであり、図８Ｂは、特にテレビ２０が動画コンテンツを表示する場合の処理を示したものである。処理はテレビ２０の制御部によって実行される。以下、処理の説明を行う。
【００８３】
テレビ２０が起動すると、テレビ２０はユーザのリモコン２４の操作によりコンテンツのリストを表示する（ステップＳ１）。ユーザはリモコン２４を操作して、リスト内から、自分が視聴するコンテンツを選択する。この操作に応じてテレビ２０は画面に表示するコンテンツを選択する（ステップＳ２）。なお、リスト及びユーザが行う操作の詳細は上述の通りである。
【００８４】
テレビ２０は、リストを参照し、選択したコンテンツが放送コンテンツか否かを判定する（ステップＳ３）。なお、ここでは、テレビ２０が視聴可能なコンテンツは放送コンテンツか動画コンテンツであるとする。
【００８５】
選択したコンテンツが放送コンテンツである場合（ステップＳ３のＹｅｓ）、テレビ２０は次に、選択したコンテンツが有料であるか否かを判定する（ステップＳ４）。コンテンツが有料であるか否かは、例えばテレビ２０が受信した放送コンテンツの電波を解析することにより判定する。
【００８６】
選択したコンテンツが有料でない場合、即ち無料である場合には（ステップＳ４のＮｏ）、テレビ２０はチューナー／デコーダ２１によりデコードされた放送コンテンツの本編（予告編ではない）を画面に表示する（ステップＳ５）。コンテンツが無料である場合とは、コンテンツが例えば地デジや一部のＢＳ放送のコンテンツである場合である。
【００８７】
選択したコンテンツが有料である場合には（ステップＳ４のＹｅｓ）、テレビ２０は、選択した放送コンテンツを提供する放送サービスとの受信契約がされているか否かを確認する（ステップＳ６）。コンテンツが有料である場合とは、コンテンツが例えば一部のＢＳ放送、ＣＳ放送又はＩＰＴＶのコンテンツである場合である。判定は、アカウントマネージャ２３が、選択した放送サービスのアカウント情報（例えば日本におけるＢＳ放送やＣＳ放送のコンテンツではＢ−ＣＡＳカード番号）を有しているか否かを確認することにより実行される。
【００８８】
放送サービスの受信契約がされている場合には（ステップＳ６のＹｅｓ）、テレビ２０はアカウント情報に基づいて放送コンテンツをデコードし、放送コンテンツの本編を画面に表示する（ステップＳ５）。
【００８９】
放送サービスの受信契約がされていない場合には（ステップＳ６のＮｏ）、テレビ２０は放送コンテンツの本編を表示することはできない。その場合には、テレビ２０は、放送サービスが提供するトレーラーを画面に表示する（ステップＳ７）。
【００９０】
ステップＳ５又はＳ７の状態において、ユーザが上述の操作Ａ〜Ｆのいずれかの操作を行った場合には、テレビ２０はステップＳ２に戻り処理を行う。
【００９１】
次に、ユーザが選択したコンテンツが動画コンテンツである場合（ステップＳ３のＮｏ）について説明する。ここで、テレビ２０は、まず予告編の動画コンテンツであるトレーラーを画面に表示する（ステップＳ８）。ここでトレーラーは、すぐに再生できるように予めダウンロード及びキューイングがされている。上述のリストに登録された（即ち、ユーザの操作で選択される可能性のある）他の動画コンテンツにかかるトレーラーについても、同様に予めダウンロード及びキューイングがされている。
【００９２】
テレビ２０は、次に、コンテンツが有料であるか否かを判定する（ステップＳ９）。コンテンツが有料であるか否かは、例えば受信した放送コンテンツの電波を解析することにより判定する。
【００９３】
選択したコンテンツが有料でない場合、即ち無料である場合には（ステップＳ９のＮｏ）、テレビ２０はトレーラーを画面に再生終了後、トレーラーの本編である動画コンテンツを継続して再生するか否かを画面表示でユーザに選択させる（ステップＳ１０）。
【００９４】
ユーザがリモコン２４の操作により継続して再生することを選択した場合には（ステップＳ１０のＹｅｓ）、テレビ２０はチューナー／デコーダ２１により本編の動画コンテンツをダウンロード（取得及び格納）し、デコーディングを行い、画面での再生を開始する（ステップＳ１１）。この処理により、テレビ２０は、いきなり長時間の本編の動画コンテンツを再生させず、最初に短時間のトレーラーを再生させるため、ユーザの動画コンテンツへの視聴意欲を高めさせることができる。
【００９５】
ユーザがリモコン２４の操作により継続して再生しないことを選択した場合には（ステップＳ１０のＮｏ）、テレビ２０はこれ以上の処理を行わない。ユーザにより他のコンテンツが選択された場合に、テレビ２０はステップＳ２に戻って処理を続行する（ステップＳ１２）。
【００９６】
ステップＳ９の判定に戻り、選択したコンテンツが有料である場合、テレビ２０はアカウントマネージャ２３により、選択したコンテンツを配信している動画配信サービスとユーザとが配信契約をしているか否かを判定する（ステップＳ１３）。判定は、アカウントマネージャ２３が、動画配信サービスのアカウント情報（例えばアカウント名、パスワード、クレジットカード情報、プリペードカード残高情報等）をテーブル内に格納しているか否かを確認することにより実行される。
【００９７】
動画配信サービスの配信契約がされていない場合には（ステップＳ１３のＮｏ）、テレビ２０は、トレーラーが画面で表示されている最中に、動画配信サービスと配信契約を行うか否かを選択させる表示を画面上で行う（ステップＳ１４）。即ち、テレビ２０は、動画配信システムに関するアカウント情報を取得するか否かを選択させる表示を画面上で行う。
【００９８】
ユーザがリモコン２４の操作により配信契約を行わないことを選択した場合には（ステップＳ１４のＮｏ）、テレビ２０はこれ以上の処理を行わない。ユーザにより他のコンテンツが選択された場合に、テレビ２０はステップＳ２に戻って処理を続行する（ステップＳ１５）。
【００９９】
ユーザがリモコン２４の操作により配信契約を行うことを選択した場合には（ステップＳ１４のＹｅｓ）、テレビ２０は契約に必要な上述のアカウント情報をユーザにリモコン２４を介して入力させる。入力されたアカウント情報は、アカウントマネージャ２３に格納され、管理される（テーブルに格納される）。またテレビ２０は、入力されたアカウント情報を動画配信サービスに送信する。この処理により、動画配信サービスとユーザとの間で配信契約がなされる。このようにテレビ２０はアカウント情報を新たに生成し、かつ管理して次に使用することを可能な状態にする。そのため、ユーザは契約時にアカウント情報を入力するだけで、後はアカウント情報を入力する必要なく動画コンテンツを視聴することができるため、ユーザの利便性が向上する。
【０１００】
動画配信サービスの配信契約が既にされている場合か（ステップＳ１３のＹｅｓ）、又はユーザが動画配信サービスの配信契約を行った場合には（ステップＳ１４のＹｅｓ）、アカウントマネージャ２３は、対象となる動画配信サービスがＰＰＶ（即ちコンテンツ毎に課金されるサービス）であるか期間毎（例えば月極）のサービスであるかをアカウント情報に基づいて判定する（ステップＳ１６）。アカウントマネージャ２３は、例えばテービルに格納された、動画配信サービスの種類を示すフラグに基づいて判定を行う。
【０１０１】
対象となる動画配信サービスが期間毎のサービスである場合には（ステップＳ１６のＮｏ）、ユーザは、本編の動画コンテンツの視聴に際し課金をする必要がない。この場合には、テレビ２０はトレーラーを画面に再生終了後、トレーラーの本編である動画コンテンツを継続して再生するか否かをユーザに選択させる画面表示を行う（ステップＳ１０）。ステップＳ１０以下の処理は上述と同様なので説明を省略する。
【０１０２】
対象となる動画配信サービスがＰＰＶのサービスである場合には（ステップＳ１６のＹｅｓ）、ユーザは、本編の動画コンテンツの視聴に際し課金をする必要がある。このためテレビ２０は、本編の動画コンテンツの購入意思があるか否かを問い合わせる表示を画面上で行う（ステップＳ１７）。この問い合わせ表示は、トレーラーが画面で表示されている最中に行われる。
【０１０３】
ユーザがリモコン２４の操作により購入意思がないことを選択した場合には（ステップＳ１７のＮｏ）、テレビ２０はこれ以上の処理を行わない。ユーザにより他のコンテンツが選択された場合に、テレビ２０はステップＳ２に戻って処理を続行する（ステップＳ１５）。
【０１０４】
ユーザがリモコン２４の操作により購入意思があることを選択した場合には（ステップＳ１７のＹｅｓ）、テレビ２０はユーザに対し、動画配信サービスに対して本編の動画コンテンツの購入（課金）をさせるための画像表示を行う。購入処理が終了した後、テレビ２０はチューナー／デコーダ２１により本編の動画コンテンツをダウンロードし、デコーディングを行い、画面での再生を開始する（ステップＳ１１）。以上の処理により、ユーザは、動画コンテンツ毎に購入の必要がある動画配信サービスにおいても、購入意思のみを入力するだけで動画コンテンツを視聴することができる。そのため、ユーザの利便性が向上する。
【０１０５】
なお、動画コンテンツによっては、コンテンツの購入候補（プロバイダー）が複数存在する場合がある。この場合には、例えばユーザが１つの動画コンテンツを選択して購入させるような画面表示をテレビ２０は行う。
【０１０６】
以上の処理により、ユーザはトレーラー又は本編の動画コンテンツを視聴することができる。
【０１０７】
ユーザがテレビに対峙している状態で何気なくコンテンツを探す動作の一つにザッピングというものがある。ザッピングは、リモコンのチャンネル上下キーや数字キーを使用し、テレビのチャンネルを数秒毎に切り替える動作を続けることである。ここで、ネット動画（例えばストリーミング）が視聴対象の場合は、前述の通り動画を再生するためのアプリを立ち上げる時間や、動画再生前のバッファリングに要する時間がかかるため、ザッピングができないという問題があった。
【０１０８】
別の観点から言うと、従来のテレビ機能、いわゆる放送コンテンツを視聴する部分と、スマートテレビの特徴である機能（動画コンテンツ視聴のためのアプリの使用）に操作方法の継続性が無かった。つまり、動画コンテンツを視聴するために、図１２Ｂのようにポータル画面の表示が必要であったり、視聴に必要なアプリを何らかの方法で立ち上げたりという処理が必要であった。そのため、放送コンテンツを視聴している最中に、幅広い選択肢の中から何気なく動画コンテンツを探したいようなときに、ユーザのコンテンツ視聴の動作が途切れてしまう。従って、伝送路を問わない任意のコンテンツに対してザッピングができないという問題があった。
【０１０９】
特許文献１に記載のテレビでは、従来のリモコン操作でネットアプリケーションを起動させても、動画コンテンツを直接視聴できるという目的が直接達せられる訳ではない。また、ユーザの操作性の向上に関しては、キーストロークが１回減る程度の効果であり、メリットが少ない。
【０１１０】
また、アプリ立ち上げ後にコンテンツを探す方法はアプリの作りに依存し、従来型のテレビリモコンとの相性が悪いものもある。それに、昨今の放送コンテンツの多チャンネル化により、特にＢＳ放送においては、数字キーにアプリ起動用に流用できる空きのキーが無い場合も考えられる。この場合には、特許文献１に記載の技術は適用できない。
【０１１１】
実施の形態２にかかるテレビは、ネット動画へのアクセスをよりチャンネルの選局に近い操作にすることが可能である。即ち、このテレビは、ネットの動画コンテンツを、ザッピングで（リスト内のコンテンツ選択又は移動の動作で）アクセスすることができるようになる。これにより、従来のテレビチャンネル選局（番組選択）とほぼ同様の操作が可能になり、ユーザの利便性が向上する。
【０１１２】
なお、テレビ２０は、動画配信サービスが配信するトレーラーの全データを取得し、トレーラーの情報ページを画面に表示させることなく再生する。これにより、ユーザは、視聴したいと考える映画コンテンツ等のトレーラーをより簡便に見ることが可能となるため、ユーザの利便性が向上する。
【０１１３】
実施の形態３
図面を参照して本発明の実施の形態３について説明する。実施の形態３では、実施の形態２と異なるコンテンツのリスト作成及び切り替え操作の方法について説明する。実施の形態３にかかるテレビ（テレビ３０）は、実施の形態２と同様の構成を有するため、説明を省略する。また、実施の形態２と同様のテレビの処理については適宜省略する。
【０１１４】
図９Ａは、テレビ３０が作成した動画コンテンツのリストを示した図である。動画コンテンツリストは、サブアイテムとして裏番組推薦リスト、映画ＶＯＤリスト、ＳＮＳいいね動画リスト、Ｒｅｃｏｍｍｅｎｄａｔｉｏｎリストが例示されており、これらのリスト毎に複数の動画コンテンツがリスト化されている。図９Ａ中の四角は個々の動画コンテンツ（又はそれを再生する動画プレーヤー）を示している。なお、Ｒｅｃｏｍｍｅｎｄａｔｉｏｎリストは、テレビ３０が予め格納したユーザの趣味趣向の情報に基づいて検索したり、あるいはユーザの音声指示によってテレビ３０が検索したりした結果としての、動画コンテンツのリストである。
【０１１５】
図９Ａにおいては、ＳＮＳいいね動画リストのうちの１つの動画コンテンツ（図９Ａ中において丸で囲まれている動画コンテンツ）が選択され、画面に再生されている。このとき、ユーザは実施の形態２にかかる操作Ａ又はＢを行うことにより、画面に再生される動画コンテンツは、ＳＮＳいいね動画リストの他の動画コンテンツ（図９Ａにおいて丸で囲まれている動画コンテンツの右又は左に隣接している動画コンテンツ）に切り替わる。
【０１１６】
また、ユーザが実施の形態２にかかる操作Ｃを行った場合、画面に再生される動画コンテンツは、映画ＶＯＤリストの動画コンテンツ（図９Ａにおいて丸で囲まれている動画コンテンツの上に隣接している動画コンテンツ）に切り替わる。ユーザが実施の形態２にかかる操作Ｄを行った場合、画面に再生される動画コンテンツは、Ｒｅｃｏｍｍｅｎｄａｔｉｏｎリストの動画コンテンツ（図９Ａにおいて丸で囲まれている動画コンテンツの下に隣接している動画コンテンツ）に切り替わる。このようにして、異なる動画配信サービス間でも、ザッピングにより再生される動画コンテンツが簡易に切り替わる。
【０１１７】
なお、テレビ３０は、リストにある全ての動画コンテンツのストリーミング（映画ＶＯＤのトレーラーにおいてはダウンロード）を実行し、ユーザの操作に応じて切り替わった際にすぐに視聴可能な状態にしておく。あるいは、テレビ３０は、現在画面に表示されているコンテンツと、リストにおいて上下左右に隣接した動画コンテンツのストリーミング（又はダウンロード及びキューイング）をしてもよい。
【０１１８】
図９Ｂは、テレビ３０が作成した、放送コンテンツ及び動画コンテンツを組み合わせた（含めた）リストの一例である。放送コンテンツは、地上波チャンネル、ＢＳチャンネル、Ｙｏｕｔｕｂｅチャンネル、ｈｕｌｕ推薦コンテンツのサブアイテムを含んでいる。なお、Ｙｏｕｔｕｂｅチャンネル及びｈｕｌｕ推薦コンテンツは、ユーザのリストへの登録に際し、ユーザの操作が必要であってもよい。
【０１１９】
テレビ３０は、図９Ａに示した動画コンテンツのリストに、既に情報として有している放送コンテンツのリストか、又は、受信する放送電波又はインターネットから簡単に取得可能な放送コンテンツのリストを組み合わせることにより、図９Ｂに示したリストを作成可能である。このようにリストを作成することで、ユーザは、放送コンテンツも動画コンテンツと同様の操作で視聴することができる。例えば、図９Ｂの状態で、実施の形態２にかかる操作Ｄを２回行った場合、画面の状態は、ＳＮＳいいね動画リスト内の動画コンテンツの再生から、地上波チャンネルの放送コンテンツ（図９Ｂにおいて丸で囲まれている動画コンテンツの２つ下にある放送コンテンツ）の表示に切り替わる。他の操作を行った場合でも、同様に画面を切り替えることができる。
【０１２０】
図１０は、テレビ３０の画面表示の一例である。画面の中央部には、現在選択されている動画コンテンツ（ＳＮＳいいね動画リスト中の１つの動画コンテンツ）が大画面で再生されている。画面の下部（動画コンテンツが再生されている位置の下側）には、ＳＮＳいいね動画リストの一部が、動画コンテンツ毎に小画面で表示されている。この一部のリストに表示されている複数の動画コンテンツのうち、現在表示されている動画コンテンツが、画面上で特定して表示されている（図１０において点線の丸で表示されている）。
【０１２１】
さらに、テレビ３０は、動画コンテンツが再生される大画面の上下左右に矢印の形状を表示している。これにより、ユーザがザッピング可能であることを示している。例えばユーザが操作Ａ又は操作Ｂを行った場合、ＳＮＳいいね動画リストの他の動画コンテンツが選択されて、大画面で再生される。また、ユーザが操作Ｃ又は操作Ｄを行った場合、他の動画コンテンツ（サブアイテム）のリスト中にある動画コンテンツが選択されて、大画面で再生される。
【０１２２】
なお、操作Ａ又は操作Ｂが行われた場合、小画面に表示されているＳＮＳいいね動画リストの一部において、現在再生中の動画コンテンツを表示する特定箇所（点線の丸）が対応して移動し、再生中の動画コンテンツを特定する箇所に表示される。あるいは、画面に表示されるＳＮＳいいね動画リストの一部は、次に再生される動画コンテンツが含まれるように変更される。このように、テレビ３０は表示画面を制御する。
【０１２３】
操作Ｃ又はＤが行われた場合、小画面に表示される動画リストは、選択された動画コンテンツ又は放送コンテンツを含む他の動画リスト又は放送リストに変更される。
【０１２４】
このように、テレビ３０は、リスト中のどの動画コンテンツを現在見ているかをユーザに対し分かりやすく表示する。また、ユーザが操作Ａ又は操作Ｂを行い、ＳＮＳいいね動画リストの他の動画コンテンツを選択する操作をした場合に、どの動画コンテンツが再生されるかをユーザに知らせることができる。これにより、ユーザは効率的にザッピングを行うことが可能となるため、ユーザの利便性を向上させることができる。
【０１２５】
さらに、図１０の画面では、右下にＧＵＩにより構成されるリスト更新ボタンを表示している。ユーザがリモコンでこのリスト更新ボタンを選択することにより、テレビ３０はインターネットにアクセスして、ＳＮＳいいね動画リストにある動画コンテンツの取得を再度行う。テレビ３０は、取得した動画コンテンツにより、画面に表示されるＳＮＳいいね動画リストの更新を行う。
【０１２６】
なお、更新されるのは、ＳＮＳいいね動画リストの全部でもよいし、ＳＮＳいいね動画リストの一部（例えば画面に表示されている部分）であってもよい。あるいは、他のサブアイテムが含まれたリストの一部又は全部が更新されてもよい。
【０１２７】
この更新において、ＳＮＳいいね動画リストの動画コンテンツのうち動画データが取得できないものがあれば、その動画コンテンツは画面のリストに表示されない（除かれる）。
【０１２８】
このような更新ボタンを画面に設けることにより、インターネット上で既に提供されなくなった動画コンテンツがある場合に、ユーザがザッピングを行った場合に再生されない動画コンテンツが大画面に表示されることを防ぐことができる。そのため、ユーザの利便性を向上させることができる。
【０１２９】
なお、テレビ３０はＳＮＳいいね動画リストではなく、他の動画リスト（又は放送リスト）を画面上で同様に表示することもできる。また、ＳＮＳいいね動画リストと並行して、他の動画リストも画面上に表示してもよい。画面上に表示するイメージは、図９Ａ、図９Ｂに記載した通りである。このように、テレビ３０（の制御部）が画面に動画コンテンツのリストを表示させることにより、ユーザは、動画コンテンツの視聴中においても、次に視聴したい動画コンテンツを容易に探すことができる。
【０１３０】
さらに、テレビ３０は、リストの一部として放送リストを小画面で表示させてもよい。ユーザがリモコンを操作することにより、テレビ３０の制御部は、リスト中の一の放送コンテンツ（チャンネル）を大画面に表示させる。これにより、ユーザは、動画コンテンツと放送コンテンツとを連続したザッピング動作で選択することができるため、ユーザの利便性を向上させることができる。
【０１３１】
また、実施の形態３では、テレビ３０は複数の動画配信システムから動画コンテンツ（及び情報ページ）を取得することが可能であり、格納された動画コンテンツに基づいて、動画配信システムを区分してリスト化し、そのリストの少なくとも一部を表示させることができる。これにより、複数の動画配信システムの動画コンテンツ間でもユーザのザッピングが可能となり、ユーザの利便性を向上させることができる。
【０１３２】
なお、本発明は上記実施の形態に限られたものではなく、趣旨を逸脱しない範囲で適宜変更することが可能である。例えば、トレーラーを表示する処理において、もしトレーラーが放送サービス又は動画配信サービスから提供されていない場合には、サービスから提供される静止画像を代わりに画面に表示することもできる。
【０１３３】
実施の形態２における図８ＢのステップＳ８において、アカウントマネージャ２３が、動画配信サービスが無料のものであるか、又は既にユーザが契約済みであって本編の購入処理の必要がない（期間毎の契約がなされている）か否かを判定してもよい。いずれかに該当する場合には、テレビ２０は、トレーラーを視聴させず、すぐに本編の動画コンテンツをダウンロードし、画面に再生させる処理を実行してもよい。ここで、テレビ２０は動画コンテンツの全部をダウンロードしてから再生してもよいし、ストリーミング形式で一部をダウンロードしつつ再生を開始してもよい。
【０１３４】
実施の形態１〜３に記載されたテレビの各構成及び処理は、その実施の形態のみに適用されるだけではなく、他の実施の形態にかかるテレビの構成及び処理に適用することが可能である。
【０１３５】
上述したテレビの処理は、制御方法の１つとして、テレビに実行させることができる。例えば、実施の形態１に示した処理のフローを、制御プログラムとしてテレビに実行させてもよい。その他の処理フローについても同様にしてテレビに実行させることができる。
【０１３６】
プログラムは、様々なタイプの非一時的なコンピュータ可読媒体（non-transitory computer readable medium）を用いて格納され、テレビに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをテレビに供給できる。
【符号の説明】
【０１３７】
１０、１００  テレビ
１１、１０１  筐体
１２、１０２  操作機器
１３、１０３  格納部
１４、１０４  制御部
１５、１０５  画面
１０６  テーブル
１０７  送信部
２０  テレビ
２１  チューナー／デコーダ
２２  ムービープレーヤー
２３  アカウントマネージャ
２４  リモコン
２１１ａ  放送衛星
２１１ｂ  通信衛星
２１２  放送局
２１３  インターネット
【図１Ａ】
2015115708.tif 000003
【図１Ｂ】
2015115708.tif 000004
【図２】
2015115708.tif 000005
【図４Ａ】
2015115708.tif 000006
【図４Ｂ】
2015115708.tif 000007
【図４Ｃ】
2015115708.tif 000008
【図５Ａ】
2015115708.tif 000009
【図５Ｂ】
2015115708.tif 000010
【図５Ｃ】
2015115708.tif 000011
【図８Ａ】
2015115708.tif 000012
【図８Ｂ】
2015115708.tif 000013
【図９Ａ】
2015115708.tif 000014
【図９Ｂ】
2015115708.tif 000015
【図１０】
2015115708.tif 000016
【図３】
2015115708.tif 000017
【図６】
2015115708.tif 000018
【図７】
2015115708.tif 000019
【図１１Ａ】
2015115708.tif 000020
【図１１Ｂ】
2015115708.tif 000021
【図１１Ｃ】
2015115708.tif 000022
【図１１Ｄ】
2015115708.tif 000023
【図１２Ａ】
2015115708.tif 000024
【図１２Ｂ】
2015115708.tif 000025
【図１２Ｃ】
2015115708.tif 000026